(57)【要約】【課題】レンズ鏡筒周上の不感帯領域を有する接触検知手段において、不感帯領域における誤動作を防止することが可能なレンズ鏡筒およびカメラシステムを提供すること。【解決手段】１枚もしくは複数のレンズを有するレンズ鏡筒において、前記レンズ鏡筒はレンズ駆動や絞りや防振装置などの駆動手段と、指の接触、移動を検知する１個もしくは複数の接触検知手段を有し、前記接触検知手段が前記レンズ鏡筒周上に配置され前記接触検知手段の第一の端部と離間部を持つ第二の端部が前記レンズ鏡筒周上に存在するとき、前記接触検知手段の検知した操作で前記駆動手段を制御する制御手段によって、前記第一の端部で前記離間部への操作が検知されなくなったあと所定時間の間は前記駆動手段を駆動制御し、前記第二の端部で接触が検知された場合には前記第二の端部での指の移動で前記レンズ鏡筒内駆動手段を制御することを特徴とする構成とした。【選択図】図１
2018194754.tif 000002
【特許請求の範囲】
【請求項１】
１枚もしくは複数のレンズを有するレンズ鏡筒において、
前記レンズ鏡筒はレンズ駆動や絞りや防振装置のレンズ鏡筒内駆動手段と、
指の接触、移動を検知する１個もしくは複数の接触検知手段を有し、
前記接触検知手段が前記レンズ鏡筒周上に配置され、
前記接触検知手段の第一の端部と離間部を持つ第二の端部が前記レンズ鏡筒周上に存在するとき、
前記接触検知手段の検知した操作で前記レンズ鏡筒内駆動手段を制御する制御手段は、
前記第一の端部から前記離間部への操作において、
前記第一の端部で接触が検知されなくなったときには所定時間の間は前記駆動手段を駆動制御可能であり、
前記第二の端部で接触が検知されたときには前記第二の端部での指の移動で前記レンズ鏡筒内駆動手段を制御することを特徴とするレンズ鏡筒。
【請求項２】
前記制御手段は、前記接触検知手段から検知した操作から移動速度を算出可能で、検知されていた接触が検知されなくなったときの直前の移動速度が第一の閾値以上であれば前記直前の速度に基づいて前記駆動手段を制御可能であることを特徴とする請求項１に記載のレンズ鏡筒。
【請求項３】
前記制御手段は、前記接触検知手段から検知した操作から移動速度を算出可能で、前記第一の端部もしくは前記第二の端部で検知されていた前記離間部への操作が検知されなくなったときの直前の移動速度が第二の閾値以上であれば前記直前の移動速度に基づいて前記駆動手段を制御可能であることを特徴とする請求項１又は請求項２に記載のレンズ鏡筒。
【請求項４】
前記第一の閾値は前記第二の閾値よりも高いことを特徴とする請求項１乃至請求項３の何れか一項に記載のレンズ鏡筒。
【請求項５】
前記制御手段は、前記第一の端部もしくは前記第二の端部で検知されていた前記離間部への操作が検知されなくなったとき、検知されなくなる直前の速度と前記第一の端部と前記第二の端部の円周状の距離によって前記駆動手段を制御することを特徴とする請求項１乃至請求項４の何れか一項に記載のレンズ鏡筒。
【請求項６】
請求項１乃至請求項５の何れか一項に記載のレンズ鏡筒を有するカメラシステム。
【発明の詳細な説明】
【技術分野】
【０００１】
本発明は、レンズ鏡筒およびカメラシステムに関し、レンズ鏡筒上に接触検知手段を有するレンズ鏡筒およびカメラシステムに関する。
【背景技術】
【０００２】
近年、タッチパネルを搭載した電子機器が増えてきている。タッチパネルを搭載することで画面内の表示を直接操作でき、その操作に合わせて表示を変更できるので直観的な操作を可能とするためである。しかし、タッチパネルを操作するうえで意図せず操作部を触れてしまうことがある。そのため、意図せずタッチパネルに触れたことによる誤動作を防ぐ工夫が様々になされている。
【０００３】
特許文献１では、タッチパネルの端部における指の移動速度が一定以上のときは操作を行っているとみなすが、それ以下の場合は操作を行っていないとみなす。それにより実際に操作しているか、保持等の目的でタッチパネルに指が触れているかの判断を可能にして誤動作を防止している。
【０００４】
また、タッチセンサを交換レンズに設ける例も知られている。特許文献２では、交換レンズにおいて全面に円筒状のタッチセンサもしくはタッチパネルを設け、指を接触させて周方向に移動することでレンズの操作を行っている。これにより、メカニカルな構成を外部に設けないことで防水性、防塵性を向上させている。
【先行技術文献】
【特許文献】
【０００５】
【特許文献１】特開２０１３−０４１６２９号公報
【特許文献２】特開２０１２−２１５６３２号公報
【発明の概要】
【発明が解決しようとする課題】
【０００６】
交換レンズにタッチパネルを設けるとき、周方向の指の移動速度を検知してズーム等の操作を行うと従来の操作リングと操作感が似ているため操作者にとって容易に使い方が理解でき有用である。
【０００７】
しかし、特許文献２に示されるように円筒状のタッチパネルの製作は困難である。そのため、タッチパネルをレンズ鏡筒周上に複数取り付けることが考えられるが、その場合隣接するタッチパネルの間に継ぎ目ができ、タッチ操作に反応しない不感帯領域が生じてしまう。
【０００８】
不感帯領域を有するレンズにおいて、指の摺動によってレンズを駆動している場合には、摺動させている指が不感帯領域に差し掛かると接触していないと判断してしまう。そのため不感帯領域では操作を止めたと判断し、レンズの駆動が止まるといった意図しない挙動を示す可能性がある。
【０００９】
このとき、特許文献１では平面における１枚のタッチパネルの端部における誤動作を防ぐものであり、不感帯領域に隣接する端部に指が差しかかったときの誤動打を防ぐ制御ではない。
【００１０】
また、特許文献１のように端部における指の移動速度で端部における操作の有無を判断する方法では、上記のように不感帯領域に指が差し
そこで、本発明の目的は、レンズ鏡筒周上に取り付けられた不感帯領域を有する接触検知手段において、不感帯領域における誤動作を防止することが可能なレンズ鏡筒およびカメラシステムを提供することにある。
【課題を解決するための手段】
【００１１】
上記の目的を達成するために、本発明に係るレンズ鏡筒は、
１枚もしくは複数のレンズを有するレンズ鏡筒において、前記レンズ鏡筒はレンズ駆動や絞りや防振装置などのレンズ鏡筒内駆動手段と、指の接触、移動を検知する１個もしくは複数の接触検知手段を有し、前記接触検知手段が前記レンズ鏡筒周上に配置され前記接触検知手段の第一の端部と離間部を持つ第二の端部が前記レンズ鏡筒周上に存在するとき、前記接触検知手段の検知した操作で前記レンズ鏡筒内駆動手段を制御する制御手段によって、前記第一の端部で前記離間部への操作が検知されなくなったあと所定時間の間は前記駆動手段を駆動制御し、前記第二の端部で接触が検知された場合には前記第二の端部での指の移動で前記レンズ鏡筒内駆動手段を制御することを特徴とする。
【発明の効果】
【００１２】
本発明によれば、レンズ鏡筒周上に取り付けられた不感帯領域を有する接触検知手段において、不感帯領域における誤動作を防止することが可能なレンズ鏡筒およびカメラシステムを提供することができる。
【図面の簡単な説明】
【００１３】
【図１】本発明の実施形態にかかわる模式図である。
【図２】実施例におけるレンズ鏡筒としての交換レンズである。
【図３】実施例の交換レンズをカメラに接続させ表示をさせたものである。
【図４】実施例１における制御図である。
【図５】実施例１において図４のＳＴＥＰ１３における非接触時間とフォーカスレンズの速度変化。
【図６】実施例２における制御図である。
【図７】実施例２において指が離れる直前の接触速度におけるフォーカスレンズが減速するまでの時間を示すグラフである。
【発明を実施するための形態】
【００１４】
以下に、本発明の好ましい実施の形態を、添付の図面に基づいて詳細に説明する。
【００１５】
図１は、本発明の実施形態にかかわる模式図である。カメラシステム０は、レンズ鏡筒１、カメラボディ２を有している。
【００１６】
レンズ鏡筒１には、１枚もしくは複数のレンズ０１とレンズ０１を駆動するレンズ駆動手段０２、レンズ側МＰＵ（マイクロプロセシングユニット）０３、接触検知手段０４、絞り０５、光学防振装置０６、レンズ側端子０７が設けられている。このとき、接触検知手段０４はレンズ鏡筒１の外周に設けられ、指の接触、非接触、移動を検知しその信号をレンズ側МＰＵ０３に伝える。そして、その信号をもとにレンズ側МＰＵ０３は制御手段としてレンズ鏡筒内駆動手段としてのレンズ駆動手段０２、絞り０５、光学防振装置０６を制御する。
【００１７】
カメラボディ２にはカメラ側端子０８、撮像素子０９、カメラ側ＭＰＵ１０が設けられている。レンズ０１、絞り０５、光学防振装置０６により得られる画像を撮像素子０９により得ることができる。また、カメラ側端子０８はレンズ側端子０７と接続されており、カメラ側ＭＰＵ１０はカメラ側端子０８を通してレンズ側МＰＵと通信可能になっている。
【００１８】
レンズ側駆動手段の制御手段としてカメラ側МＰＵ１０を用いてもよい。その場合、接触検知手段０４の信号はレンズ側端子０７、カメラ側端子０８を通してカメラ側МＰＵ１０に伝えられる。カメラ側МＰＵはその信号をもとに制御信号を出し、カメラ側端子０８、レンズ側端子０７を通してレンズ駆動手段０２等のレンズ鏡筒内駆動手段に伝達される。伝達経路としてレンズ側МＰＵ０３を通してレンズ駆動手段０２に信号を送る構成でなくてもいいことは言うまでもない。
【００１９】
また図１のカメラシステム０ではレンズ側端子０７、カメラ側端子０８を設けているが、特別な接続素子で接続されている必要がなく、例えば一体型のカメラでも良いことは言うまでもない。レンズ鏡筒１に絞り０５、光学防振装置０６が設けられていても設けられていなくても良いことは言うまでもない。
【００２０】
次に本発明を可能とする実施形態について述べる。
【実施例１】
【００２１】
以下、本発明の第１の実施例について説明する。
【００２２】
図２は実施例におけるレンズ鏡筒としての交換レンズ１１を示している。
【００２３】
外形は図に示す通り、カメラとの接続部としてマウント１１ｂと接触検知手段としてのタッチパネル１０４を有している。タッチパネル１０４は弧形状で、交換レンズ１１の外径のほぼ一周に設けられている。このとき、タッチパネルのつなぎ目となり接触検知できない領域を不感帯領域１０４ｄとする。タッチパネル１０４上の不感帯領域１０４ｄ近傍の領域をそれぞれ第一の端部１０４ｅ、第二の端部１０４ｆとする。
【００２４】
図示はしていないが、交換レンズ１１の内部にはレンズ鏡筒内駆動手段としてフォーカスの位置を調整するフォーカスレンズ１０１、レンズ側駆動手段としてステッピングモータ１０２を有している。また、タッチパネル１０４から得られる操作情報を処理するレンズ側ＭＰＵ１０３を有している。内部の詳細な構造については公知のものを用いればよく詳細は省略する。
【００２５】
図３は交換レンズ１１をカメラボディ１２に接続させ、タッチパネル１０４に表示をさせたものである。フォーカス操作領域１０４ｄはフォーカス位置の操作を、防振切り替え領域１０４ｅは防振機能の操作を、フォーカス切り替え領域１０４ｆはオートフォーカス、マニュアルフォーカスの切り替え操作を可能とする領域である。
【００２６】
防振切り替え領域１０４ｅは防振機能のＯＮ、ＯＦＦを、フォーカス切り替え領域１０４ｆはオートフォーカス、マニュアルフォーカスをそれぞれ防振切り替え領域１０４ｅ、防振切り替え領域１０４ｆに表示してあるボタンを指でタッチすることで切り替え可能になっている。また、防振切り替え領域１０４ｅ、防振切り替え領域１０４ｆに表示されているボタンを指でタッチすることでそれぞれ防振切り替え領域１０４ｅ、防振切り替え領域１０４ｆのボタンの色を変更し防振機能やフォーカスの設定を知ることが可能となる。このとき機能変更としては防振機能やフォーカス設定に限らず、表示の変更に関しても色の変更のほかに文字の表示を変更するなど異なる制御を行っても良いことは言うまでもない。
【００２７】
フォーカス操作領域１０４ｄは交換レンズ１１の外周上に設けられており、縞状の模様が表示されている。フォーカス操作領域１０４ｄを円周方向に指をスライドさせることで、スライドの方向とスライド速度からフォーカスレンズ１０１を駆動可能としている。
【００２８】
フォーカス操作領域１０４ｄの指の円周方向へのスライド方向でフォーカスレンズ１０１を至近側に合うように駆動させるか、無限側に合わせるように駆動させるかの判断を行う。また、その時点における指のスライド速度に基づいて、フォーカスレンズ１０１の駆動速度を調節することができる。
【００２９】
指がフォーカス操作領域１０４ｄから離れたときは以下のような動作を行う。領域１０４ｄから離れたとき、判定時間ｔｄ以内であればフォーカスレンズ１０１は指が離れる直前の接触速度Ｖｐを用いて制御を行う。もし判定時間ｔｄ以上時間が経過してもフォーカス操作領域１０４ｄにおいて指の接触が感知されない場合、指が離れる直前の接触時の指の速度Ｖｐが第一の閾値Ｖｂを用いて制御を変える。
【００３０】
こうすることで不感帯領域１０４ｄを判定時間ｔｄ以内に通過したのであればフォーカスレンズが止まるという操作の意図に反した動きをすることがなくなる。また、タッチパネル１０４の誤検知によってフォーカスレンズ１０１が止まるという誤操作も防ぐことができる。しかし、判定時間ｔｄが長いとフォーカスレンズ１０１を停止させたい意図で指を離した時でもフォーカスレンズ１０１が止まるタイミングが遅れるため操作性が低下する。そのため判定時間ｔｄは短くすることが好ましい。
【００３１】
指が離れてから判定時間ｔｄ以上経過したとき、直前の接触速度Ｖｐが第一の閾値Ｖｂ以上であれば、指が離れてからの非接触時間ｔと直前の接触速度Ｖｐに基づいて速度を０にするまでの減速カーブを定め駆動速度Ｖｍを算出する。また、指が離れる直前の接触時の接触速度Ｖｐが第一の閾値Ｖｂ以下であれば、駆動速度Ｖｍを０としフォーカスレンズ１０１を止める。
【００３２】
こうすることで指を動かし続ける意図で離したのか止めるために離したのか判断することが可能になり、動かし続ける意図で離した時にはフォーカスレンズ１０１を停止させることがなくなる。これによりフォーカス操作領域１０４ｄにおいて指をスライドさせ続けないでもフォーカスレンズを駆動することが可能となる。また、不感帯領域１０４ｄを通過する指の速度が第一の閾値Ｖｂ以上であれば止まることがないため意図に反した動きを減らすことができる。
【００３３】
図４はこのときの制御を可能とする制御図である。
【００３４】
ＳＴＥＰ１としてフォーカス操作領域１０４ｄにおいて接触が検知されているかを判断する。ＳＴＥＰ１で接触が検知されていればＳＴＥＰ２として非接触時間カウントを０とする。そして、ＳＴＥＰ３として現在の接触速度を接触速度Ｖｔに挿入してＳＴＥＰ６に進む。
【００３５】
ＳＴＥＰ１で接触が検知されていなければＳＴＥＰ４として非接触時間カウントｔが判定時間ｔｄ以上かどうかを判断するもし判定時間ｔｄ以上でなければＳＴＥＰ５に進む。ＳＴＥＰ５では直前の接触速度Ｖｐを接触速度Ｖｔに挿入しＳＴＥＰ６に進む。こうすることでタッチパネル１０４の不感帯領域１０４ｄを高速に指を移動させた場合に一度フォーカスレンズ１０１が止まるという誤動作を防ぐことができる。
【００３６】
ＳＴＥＰ６では接触速度Ｖｔからフォーカスレンズ１０１の駆動の要求速度Ｖｌを算出してＳＴＥＰ７に進む。
【００３７】
ＳＴＥＰ７では要求速度Ｖｌが駆動可能な最大速度Ｖｍａｘ以下かを判断する。要求速度Ｖｌが最大速度Ｖｍａｘ以下であればＳＴＥＰ８として駆動速度Ｖｍに要求速度Ｖｌを挿入しＳＴＥＰ１５に進む。要求速度Ｖｌが最大速度Ｖｍａｘ以下でなければＳＴＥＰ９として駆動速度Ｖｍに最大速度Ｖｍａｘを挿入すし制御を終える。
【００３８】
ＳＴＥＰ４として非接触時間ｔが判定時間ｔｄ以上の場合には領域１５Ａから指が離れたと判断してＳＴＥＰ１０に進む。
【００３９】
ＳＴＥＰ１０では離れる直前の接触速度Ｖｐが第一の閾値Ｖｂ以上かどうかを判断する。直前の接触速度Ｖｐが第一の閾値Ｖｂ以下であれば、駆動速度Ｖｍに０を挿入して制御を終える。直前の接触速度Ｖｐが第一の閾値Ｖｂ以上であれば、ＳＴＥＰ１１に進む。
【００４０】
ＳＴＥＰ１１では、駆動速度Ｖｍを得てＳＴＥＰ１２で駆動速度Ｖｍが０か０出ないかを判断する。駆動速度Ｖｍが０のときはそのまま制御を終える。
【００４１】
ＳＴＥＰ１２で駆動速度Ｖｍが０でないときはＳＴＥＰ１３に進み、ＳＴＥＰ１３として非接触時間ｔと直前の接触速度Ｖｐから駆動速度Ｖｍを算出して挿入する。
【００４２】
図５は図４のＳＴＥＰ１３における非接触時間ｔとフォーカスレンズ１０１の速度変化を記している。非接触時間ｔが予備駆動時間ｔｍ以内のとき直前の接触速度Ｖｐで動き続けるようにする。その後駆動速度Ｖｍは減速していき停止時間ｔｓで停止する。このとき、予備駆動時間ｔｍは直前の接触速度Ｖｐによって異なる値をいれてもいい。また、減速の方法はこの方法に限定されず減速カーブや停止時間ｔｓを直前の接触速度Ｖｐによって異ならせても良い。
【００４３】
こうすることで第一の閾値Ｖｂよりも大きいかどうかでフォーカスレンズ１０１を駆動させるか停止させるか判断可能となる。これにより第一の閾値Ｖｂ以上で不感帯１０４ｄを指が通ってもフォーカスレンズ１０１を駆動させ続けることが可能となる。
【実施例２】
【００４４】
実施例２では実施例１の構成をした交換レンズ１１に対して、図２の第一の端部１０４ｅ部、第二の端部１０４ｆ部において他の領域１０４ｄとは異なる制御を行う。
【００４５】
具体的には第一の端部１０４ｅもしくは第二の端部１０４ｆにおいて指が離れたときに指の移動方向を判断する。もし指の移動がそれぞれの端部において隣接する不感帯領域１０４ｄへ向かう向きであるときには第一の閾値Ｖｂよりも小さな第二の閾値Ｖｃも用いて制御を行う。指の離れる直前の接触速度Ｖｐが第二の閾値Ｖｃよりも小さな場合にも、非接触時間ｔと直前の接触速度Ｖｐを用いて駆動速度Ｖｍを算出する。この制御をいれることで、第一の端部１０４ｅ部、第二の端部１０４ｆ部から不感帯領域１０４ｄへ指が移動したときにフォーカスレンズ１０１が止まるのをより精度よく防ぐことができるようになる。
【００４６】
算出方法としては指の離れる直前の接触速度Ｖｐが第一の閾値よりも高い場合は実施例１と同様の方法で行う。
【００４７】
指の離れる直前の接触速度Ｖｐが第二の閾値Ｖｃ以上であり第二の閾値Ｖｂよりも小さな場合には、不感帯領域１０４ｄの周方向の長さと指の離れる直前の接触速度Ｖｐからフォーカスレンズ１０１を駆動し続ける時間を求める。そうすることで指の移動速度が低い場合でも、フォーカスレンズ１０１を止めるために指を離したのかどうかの判断を行う精度を上げることができる。
【００４８】
図６は実施例２におけるタッチパネル１０４の端部の制御を示している。
【００４９】
ＳＴＥＰ１からＳＴＥＰ９までは実施例１と同じなので説明は省略する。ＳＴＥＰ１０では指が離れる直前の移動方向がその端における隣接する不感帯領域１０４ｄに向かう方向かを判断する。向かう方向でないならばＳＴＥＰ１１に進み、向かう方向であるならばＳＴＥＰ１２に進む。
【００５０】
ＳＴＥＰ１２では離れる直前の接触速度Ｖｐが第二の閾値Ｖｃ以上であるかどうかを判断する。離れる直前の接触速度Ｖｐが第二の閾値Ｖｃ以上である場合にはＳＴＥＰ１４に進み、離れる直前の速度Ｖｐが第二の閾値Ｖｃ以上でない場合にはＳＴＥＰ１３に進む。
【００５１】
また、ＳＴＥＰ１１において離れる直前の接触速度Ｖｐが第一の閾値Ｖｃ以上であるかどうかを判断する。離れる直前の接触速度Ｖｐが第一の閾値Ｖｃ以上である場合にはＳＴＥＰ１４に進み、離れる直前の接触速度Ｖｐが第一の閾値Ｖｃ以上でない場合にはＳＴＥＰ１３に進む。
【００５２】
ＳＴＥＰ１４では、駆動速度Ｖｍを得てＳＴＥＰ１５で駆動速度Ｖｍが０か０出ないかを判断する。駆動速度Ｖｍが０のときはそのまま制御を終える。ＳＴＥＰ１５で駆動速度Ｖｍが０でないときはＳＴＥＰ１６に進み、ＳＴＥＰ１６として非接触時間ｔと直前の接触速度Ｖｐから駆動速度Ｖｍを算出して挿入する。
【００５３】
算出方法は実施例１の図５と同様の方法をとる。しかし、指の離れる直前の接触速度Ｖｐが第二の閾値Ｖｃ以上であり第二の閾値Ｖｂよりも小さな場合には、図７に示すように予備駆動時間ｔｍの時間を直前の接触速度によって変化させる。このとき、不感帯領域１０４ｄの周方向の長さｌと指の離れる直前の速度Ｖｐから求め、ｔｍ＝ｌ／Ｖｐとする。こうすることで指の移動速度が低い場合でも、フォーカスレンズ１０１を止めるために指を離したのかどうかの判断を行う精度を上げることができる。なお、予備駆動時間ｔｍの算出方法、駆動速度の減速方法についてはこれに限定されない。
【００５４】
実施例ではタッチパネルを設けたがタッチセンサでもいいことは言うまでもない。タッチパネルを一つで構成したため不感帯領域は一つであったが、複数のタッチパネルを配置し、複数の不感帯領域を設けても良いことは言うまでもない。また、タッチパネルが配置されている領域が、レンズ鏡筒全周ではなく一部に巻き付けられている構成でもよい。
【００５５】
実施例ではレンズ側駆動手段としてフォーカスレンズを制御したが、ズームレンズ、絞り、光学防振装置の駆動に適用してもいいことは言うまでもない。このとき、絞りを制御する場合には開口径の大きさを制御するのに、光学防振装置を制御する場合には防振レベルを制御するのに適用可能である。
【００５６】
実施例ではタッチパネル上の一部の領域を用いて操作したが、タッチパネル全域において指の移動パターンで操作される場合であってもいいことは言うまでもない。
【００５７】
実施例２において実施例１の制御に接触検知手段の端部における制御を加える例を説明したが、実施例２で記した端部における制御だけを行っても良い。そうした制御においても不感帯領域を指が跨ぐようにスライドしても本発明の効果が得られることは言うまでもない。
【００５８】
以上、本発明の好ましい実施形態について説明したが、本発明はこれらの実施形態に限定されず、その要旨の範囲内で種々の変形及び変更が可能である。
【００５９】
本発明は、レンズ鏡筒およびカメラシステムに関し、特に接触検知手段と表示手段を有するレンズ鏡筒およびカメラシステムに有用である。
【符号の説明】
【００６０】
０  カメラシステム、１  レンズ鏡筒、２  カメラボディ、０１  レンズ、
０２  レンズ駆動手段（レンズ鏡筒内駆動手段）、０３  レンズ側ＭＰＵ、
０４  接触検知手段、０５  絞り（レンズ鏡筒内駆動手段）、
０６  光学防振装置（レンズ鏡筒内駆動手段）、０７  レンズ側端子、
０８  カメラ側端子、０９  撮像素子、１０  カメラ側ＭＰＵ、
１１  交換レンズ（実施例におけるレンズ鏡筒）、１２  カメラボディ、
１１ｂ  レンズ側マウント、１０４  タッチパネル（実施例における接触検知手段）、
１０４ｄ  不感帯領域、１０４ｅ  第一の端部、１０４ｆ  第二の端部、
１０４ｄ  フォーカス操作領域
【図１】
2018194754.tif 000003
【図２】
2018194754.tif 000004
【図３】
2018194754.tif 000005
【図４】
2018194754.tif 000006
【図５】
2018194754.tif 000007
【図６】
2018194754.tif 000008
【図７】
2018194754.tif 000009